(57)【特許請求の範囲】
【請求項１】
缶蓋の中央部にリベットを介して取り付けられたタブを起こすことにより、前記缶蓋に形成された飲み口を開口させる缶オープナであって、
ユーザに把持される把持部と、
前記タブに係合する係合部と、
前記把持部と前記係合部との間に設けられるとともに、前記タブに前記係合部を係合させた状態で前記リベットを中心に前記缶オープナを回動させる際に、前記缶蓋と当接することで回動を規制する規制部と、
を備え、
前記把持部は、タブを起こす方向側の第１側面およびタブを起こす方向とは逆側の第２側面のうち、前記第２側面のみにタブを起こす方向とは逆側に突出する屈曲部が設けられていることを特徴とする缶オープナ。
【請求項２】
前記規制部は、前記係合部を前記タブに係合させた状態から前記缶蓋に当接する状態まで前記缶オープナを回動させる際の回動の角度が、４０ないし８０度となるように形成されている
ことを特徴とする、請求項１に記載の缶オープナ。
【請求項３】
前記規制部は、前記係合部を前記タブに係合させた状態から前記缶蓋に当接する状態まで前記缶オープナを回動させる際の回動の角度が、１３０ないし１７０度となるように形成されている
ことを特徴とする、請求項１に記載の缶オープナ。
【請求項４】
前記規制部は、前記タブを起こす方向に突出するように形成された凸部である
ことを特徴とする、請求項１に記載の缶オープナ。
【請求項５】
前記係合部は、前記タブに係合しているときに前記タブの上面と接する係合部上部と、前記タブの下面と接する係合部下部とを備える
ことを特徴とする、請求項１または請求項４に記載の缶オープナ。
【請求項６】
前記係合部下部の前記タブを挿し込む方向の長さは、前記係合部上部の前記タブを挿し込む方向の長さよりも短い
ことを特徴とする、請求項５に記載の缶オープナ。
【請求項７】
缶蓋の中央部にリベットを介して取り付けられたタブを起こすことにより、前記缶蓋に形成された飲み口を開口させる缶オープナを用いる開缶方法であって、
前記缶オープナは、ユーザに把持される把持部と、前記タブに係合する係合部と、前記把持部と前記係合部との間に設けられるとともに、前記タブに前記係合部を係合させた状態で前記リベットを中心に前記缶オープナを回動させる際に前記缶蓋に当接する規制部と、を備え、
前記把持部は、タブを起こす方向側の第１側面およびタブを起こす方向とは逆側の第２側面のうち、前記第２側面のみにタブを起こす方向とは逆側に突出する屈曲部が設けられており、
前記把持部を把持して前記係合部を前記タブに係合させるステップと、
前記リベットを中心に前記缶オープナを、前記規制部が前記缶蓋に当接するまで回動させるステップと、
を有することを特徴とする、缶オープナを用いる開缶方法。
【発明の詳細な説明】
【技術分野】
【０００１】
本発明は、缶オープナおよびそれを用いる開缶方法に関する。
【背景技術】
【０００２】
従来、缶のステイオンタブを手で起こす際に、タブに指を掛けづらいと感じたり、タブを持ち上げる際に力がいると感じたりするユーザがいるため、それを解消するための治具として、缶オープナが多数考案されている（下記特許文献１〜３を参照）。
【先行技術文献】
【特許文献】
【０００３】
【特許文献１】特開２００６−００８２４２号公報
【特許文献２】特開２００１−１８０７９９号公報
【特許文献３】実用新案登録第３０７３１６３号公報
【発明の概要】
【発明が解決しようとする課題】
【０００４】
しかしながら、特許文献１〜３に記載の缶オープナは、飲み口を開口させる際の不具合等を解消する技術であって、これまで、缶の飲み口の開口の度合いに着目した技術（缶オープナ）は皆無であった。
【０００５】
そこで、本発明は、缶のタブを所定の角度となるように起こすことで、飲み口の開口の度合いを所望の状態とすることができるような缶オープナおよびそれを用いる開缶方法を提供することを課題とする。
【課題を解決するための手段】
【０００６】
本発明は、缶蓋の中央部にリベットを介して取り付けられたタブを起こすことにより、前記缶蓋に形成された飲み口を開口させる缶オープナであって、ユーザに把持される把持部と、前記タブに係合する係合部と、前記把持部と前記係合部との間に設けられるとともに、前記タブに前記係合部を係合させた状態で前記リベットを中心に前記缶オープナを回動させる際に、前記缶蓋と当接することで回動を規制する規制部と、を備え、前記把持部は、タブを起こす方向側の第１側面およびタブを起こす方向とは逆側の第２側面のうち、前記第２側面のみにタブを起こす方向とは逆側に突出する屈曲部が設けられていることを特徴とする。
【０００７】
また本発明は、缶蓋の中央部にリベットを介して取り付けられたタブを起こすことにより、前記缶蓋に形成された飲み口を開口させる缶オープナを用いる開缶方法であって、前記缶オープナは、ユーザに把持される把持部と、前記タブに係合する係合部と、前記把持部と前記係合部との間に設けられるとともに、前記タブに前記係合部を係合させた状態で前記リベットを中心に前記缶オープナを回動させる際に前記缶蓋に当接する規制部と、を備え、前記把持部は、タブを起こす方向側の第１側面およびタブを起こす方向とは逆側の第２側面のうち、前記第２側面のみにタブを起こす方向とは逆側に突出する屈曲部が設けられており、前記把持部を把持して前記係合部を前記タブに係合させるステップと、前記リベットを中心に前記缶オープナを、前記規制部が前記缶蓋に当接するまで回動させるステップと、を有することを特徴とする。
【発明の効果】
【０００８】
本発明によれば、缶のタブを所定の角度となるように起こすことで、飲み口の開口の度合いを所望の状態とすることができるような缶オープナおよびそれを用いる開缶方法を提供することができる。
【０００９】
また、本発明によれば、タブに係合部を係合させた状態でリベットを中心に缶オープナを回動させることで開缶できるため、開缶作業は大きな力を加えなくても容易に行うことができるとともに、爪を傷つけてしまうなどの事態を回避することもできる。
【図面の簡単な説明】
【００１０】
【図１】第１実施形態に係る缶オープナの概略構成を説明する図である。
【図２】第１実施形態に係る缶オープナの開缶方法を（ａ）〜（ｄ）の順に説明する図である。
【図３】第１実施形態に係る缶オープナの開缶方法に関するフローチャートである。
【図４】第２実施形態に係る缶オープナの概略構成を説明する斜視図であり、（ａ）は上方から見た図、（ｂ）は下方から見た図である。
【図５】第２実施形態に係る缶オープナの開缶方法を（ａ）〜（ｄ）の順に説明する図である。
【図６】第３実施形態に係る缶オープナの概略構成および開缶方法を説明する図であり、（ａ）は開缶直前の様子を、（ｂ）は開缶直後の様子を説明する図である。
【図７】第４実施形態に係る缶オープナの概略構成および開缶方法を説明する図であり、（ａ）は開缶直前の様子を、（ｂ）は開缶直後の様子を説明する図である。
【図８】第５実施形態に係る缶オープナの概略構成および開缶方法を説明する図であり、（ａ）は開缶直前の様子を、（ｂ）は開缶直後の様子を説明する図である。
【発明を実施するための形態】
【００１１】
以下、本発明に係る缶オープナおよびそれを用いる開缶方法を実施するための形態（以下、適宜「実施形態」という）について図を参照しながら詳細に説明する。
【００１２】
〔対象となる缶〕
最初に、本発明の実施形態に係る缶オープナおよびそれを用いる開缶方法の「対象となる缶」について説明する。
本発明の実施形態に係る缶オープナおよびそれを用いる開缶方法の対象となる缶は、缶蓋の中央部にリベットを介してタブが取り付けられており、該タブのタブ起こしを行うと、タブの基端部が舌片を押圧することにより、該舌片が缶蓋から所定角度をなすようにして切り欠かれ、飲み口を開口する仕組みのあらゆる缶とする。
【００１３】
ここで、タブが取り付けられる缶蓋の「中央部」とは、缶蓋の略中央（例えば、缶蓋の中央から直径の１／２以内となる領域）を指している。
なお、以下で「缶蓋５７」と示す場合、図２（ｄ）に示すように、缶蓋平面部５１のみならず、フランジ部５４を含むものとする。また、以下の説明では缶のその他の構成物として、図２（ｄ）に示す、タブ穴５６を有するタブ５０、タブ５０を缶蓋平面部５１に固定するリベット５５、舌片５２、開口部５３の各部材名称を、特に断りなく使用する。
【００１４】
ここで、対象となる缶に充填される内容物については、特に限定されないが、後記する「泡立ちがよくなる」や「喉ごしがよくなる」といった効果を享受することができる発泡性飲料（例えば、発泡性アルコール飲料、発泡性ノンアルコール飲料）が好ましい。
なお、発泡性飲料とは、２０℃におけるガス圧が０．０４９ＭＰａ（０．５ｋｇ／ｃｍ2）以上となる飲料である。
【００１５】
次に、本発明の実施形態に係る缶オープナについて、第１〜５実施形態を示して説明するが、第２実施形態、第３実施形態、第４実施形態、第５実施形態を説明するに際して、既に説明した実施形態と共通する構成については説明を省略し、相違する構成を中心に説明する。また、各実施形態において共通する構成については、同一の符号を付している。
なお、一端側、他端側、長手方向、短手方向、タブ起こし方向などの方向軸については、各図の記載によるものとする。
【００１６】
〔第１実施形態〕
図１は、第１実施形態に係る缶オープナ１００の概略構成を説明する図である。なお、第１実施形態に係る缶オープナ１００は、缶に充填されている発泡性飲料をグラス等に注ぐ際に、発泡性飲料の泡立ちをよくすることを目的とした缶オープナである。
図１に示すように、缶オープナ１００は、ユーザに把持される把持部１０と、タブに係合する係合部３０と、把持部１０と係合部３０との間に設けられる規制部２０と、を備えている。
【００１７】
（把持部）
まず、図１、２を参照しながら把持部１０について説明する。
把持部１０は、ユーザによって把持可能に形成された部材である。第１実施形態では略角柱体形状として長手方向を有するように成形されているが、把持可能な形状であれば、特にこの形状に限定されるものではない。
但し、詳細は開缶方法において後記するが、第１実施形態の缶オープナ１００は、剛体まわりのモーメント力の関係を利用して、タブ５０を回動させるものである。具体的には、係合部３０のうちタブ５０の挿入入口付近の先端部３３を支点（厳密には、タブ５０のリベット５５を支点）、把持部１０の力の入力点を力点、係合部３０のうちタブ５０の挿入深部（奥）付近の基端部を作用点として、タブ起こし方向Ｆにタブ５０を回動させるものである。ゆえに、モーメントアームは長ければ長いほど、ユーザが入力する力の大きさは小さくて済む。
したがって、把持部１０は、係合部３０から遠ざかる方向に長尺となるように形成され、ユーザは、係合部３０からなるべく遠方の位置で把持できるものがより好適であるといえる。
【００１８】
また、把持部１０は、缶オープナ１００のタブ起こし方向Ｆの側の側面が、滑り止めの凸凹部が付された板状部Ｍによって構成され、これと対向する側面は、複数の板状部Ｍ１，Ｍ２によって構成され、屈曲部Ｒが形成されている。
【００１９】
このように、両側面を互いに平行な面とせず、把持部１０のユーザの力が入力される側の側面（板状部Ｍ１，Ｍ２からなる面）に屈曲部Ｒを設けるようにすると、ユーザの心理として、屈曲部Ｒが設けられている側から把持しようと考えるため、逆側（板状部Ｍ側）から把持してしまうといった事態を回避でき、その結果、缶オープナ１００の使用方法の誤認を防止できるという効果を発揮する。
【００２０】
また、把持部１０の側面（板状部Ｍ１，Ｍ２からなる面）に屈曲部Ｒを設けることで、板状部Ｍ１に板状のマグネットを取り付けて、冷蔵庫などのスチール製の筺体に貼り付けて保管する場合に、板状部Ｍ２と前記筺体との間に、ユーザの指が入る程度の隙間を常時設けておくことができる。これにより、冷蔵庫などの筺体から缶オープナ１００を取り外し易くなるという効果も発揮する。
また、把持部１０の側面（板状部Ｍ１，Ｍ２からなる面）に屈曲部Ｒを設けることで、把持部１０の両側面が互いに平行となるように形成されているものと比較して、ユーザは、把持しやすい、または持ちやすい、といったように感じやすくなる効果もある。
【００２１】
（規制部）
次に、図１、２を参照しながら規制部２０について説明する。
規制部２０は、把持部１０の側面（板状部Ｍ）から、タブ起こし方向Ｆに突出して構成される。この突出の形状は、例えば、把持部１０の係合部側の端部の位置において、略矩形で形成された凸部とすることができるが、これには限定されない。
【００２２】
そして、規制部２０は、缶のタブ５０に係合部３０を係合させた状態でリベット５５を中心に缶オープナ１００を回動させた際、缶蓋５７（缶蓋平面部５１またはフランジ部５４）の少なくとも１箇所に当接することにより、それ以上、缶オープナ１００が回動しないように動きを規制する部材である。
言い換えると、規制部２０は、缶オープナ１００の回動する角度（以下、適宜「回動角度」という）を規制する部材である。
【００２３】
（規制部：缶オープナの回動角度について）
ここで、規制部２０によって規制される缶オープナ１００の回動角度は、４０〜８０度であるのが好ましい。
缶オープナ１００の回動角度をこのような範囲とすることにより、所定角度までタブ５０が起き上がるとともに、舌片５２が缶蓋平面部５１から所定角度（例えば、図２（ｄ）のθ２が３０度程度）をなすように押し下げられる。その結果、発泡性飲料をグラス等に注ぐ際に、発泡性飲料が舌片５２に接触して程よく空気と混合し、泡立ちの状態を好適なものとすることができる。
なお、缶オープナ１００の回動角度が４０度未満であると、タブ５０が十分に起き上がらず、舌片５２が十分に押し下げられない結果、舌片５２が邪魔をして発泡性飲料をグラス等に注ぎ難くなってしまう。また、缶オープナ１００の回動角度が８０度を超えると、タブ５０が起き上がり過ぎてしまい、舌片５２が過剰に奥に押し下げられた結果、発泡性飲料をグラス等に注ぐ際に、発泡性飲料の流路上に舌片５２が配置されなくなり、泡立ちの状態が悪くなってしまう。
そして、発泡性飲料の泡立ちをよくするという効果を確実なものとするためには、缶オープナ１００の回動角度は、５０〜７０度がより好ましく、５５〜６５度が特に好ましい。
【００２４】
（規制部：缶オープナの回動角度と規制部の構造との対応関係）
缶オープナ１００の回動角度を前記したような所定角度とするためには、規制部２０の構造を以下の関係を満たすように設定すればよい。
図１、２を参照して説明するが、まず、缶オープナ１００の係合部３０をタブ５０に係合させた状態において、短手方向から缶オープナ１００を側面視した場合に、タブ５０のリベット５５近傍の基端部と当接する箇所を係合部３０の先端部３３とし、タブ５０の上面と当接する点を係合部３０のタブ当接点３６とし、規制部２０において缶蓋５７に当接する点を缶蓋当接点２１と、規定する。この場合において、係合部３０の先端部３３とタブ当接点３６とを繋いだ直線と、係合部３０の先端部３３と缶蓋当接点２１とを繋いだ直線とのなす角θ１が、１００〜１４０度となるように規制部２０の構造を設定すればよい。ここで、「係合部３０の先端部３３とタブ当接点３６とを繋いだ直線」を「係合部上部３１（詳細後記）と同一平面」に置き換えてもよい。
なお、缶オープナ１００の回動角度と角θ１とは、「１８０度−缶オープナの回動角度≒角θ１」との関係を満たす。
よって、角θ１が１００〜１４０度となるように規制部２０の構造を設定することで、缶オープナ１００の回動角度を４０〜８０度とした場合の効果（発泡性飲料の泡立ちをよくするとの効果）を得ることができる。また、前記効果を確実なものとするため、角θ１は１１０〜１３０度がより好ましく、１１５〜１２５度が特に好ましい。
【００２５】
なお、前記した缶蓋当接点２１、タブ当接点３６はそれぞれ、缶オープナ１００を短手方向から側面視した場合の、缶蓋５７、タブ５０との当接箇所を意味するが、これは点接触であることを必ずしも意味するものではなく、線接触、または面接触である場合も含む意味である。正確には、規制部２０と缶蓋５７との当接形態、係合部３０とタブ５０との当接形態は、規制部２０、係合部３０の形状に依存して変わる。
【００２６】
（係合部）
次に、図１を参照しながら係合部３０について説明する。
缶のタブ５０と係合する係合部３０は、係合部上部３１と係合部下部３２とを含んで構成されている。ここで、係合部上部３１とは、係合部３０をタブ５０に係合させた状態において、タブ表面の上側に位置してタブ表面と面接触する面である。一方、係合部下部３２とは、タブ裏面の下側に位置してタブ裏面と面接触する面である。そして、係合部上部３１および係合部下部３２の、タブ５０の短手方向に相当する幅はそれぞれ、タブ５０自身の短手方向の幅よりもわずかに広く形成されており、タブ５０が、係合部３０のタブ５０の長手方向から、挿入されやすい構造となっている。
なお、図１に示す缶オープナ１００の係合部３０のタブ５０の短手方向には、タブ５０自体の抜け落ちを規制する壁部が存在せず、タブ５０をタブ５０の短手方向から係合部３０にスライドさせるようにして挿入可能に構成されているが、これに限定されない。
つまり、係合部３０のうち、タブ５０の短手方向の両端部に壁部を設けて、タブ５０を長手方向からのみ挿入可能に構成してもよい。また、係合部３０のタブ５０の短手方向の一方の端部のみ壁部を設けて、壁部のない他方の端部から、タブ５０を短手方向にスライドさせて挿入可能に構成してもよい。
【００２７】
係合部上部３１は、缶のタブ５０の先端部から、タブ５０と缶蓋平面部５１とを固定するために缶のタブ５０の基端部近傍に打設されたリベット５５付近までを、覆うように構成されている。なお、タブ５０の先端部が係合部３０の基端部と当接し、タブ５０のリベット５５近傍の基端部が係合部３０の先端部３３と当接するものとする。
【００２８】
また、係合部下部３２のタブ５０を挿し込む方向の長さｔは、係合部上部３１のタブ５０を挿し込む方向の長さｓよりも短く（ｓ＞ｔ）なるように構成されている。
このようにすることで、もしタブ５０が係合部３０の途中までしか挿入されておらず、奥まで確実に挿入されていない場合は、タブ５０はうまく係合部３０に係合されず、タブ起こしの際、係合部下部３２の側から、タブ５０が容易に抜け落ちて外れることとなる。
ゆえに、第１実施形態の缶オープナ１００によれば、タブ５０が確実に係合部３０の奥まで挿入されているか否かをユーザに注視させ、タブ５０を確実に係合部３０の奥まで挿入させることができる。また、タブ５０の係合部３０への挿入が甘い場合には、容易に係合が解除され、タブ５０が変形してしまうような事態を回避することができる。
【００２９】
なお、例えば係合部下部３２のタブ５０を挿し込む方向の長さｔが、係合係合部上部３１のタブ５０を挿し込む方向の長さｓと等しく（ｓ＝ｔ）されている場合は、ユーザによる係合部３０へのタブ５０の挿入が甘かった場合、つまり係合部３０の途中までしか挿入されなかった場合でも、タブ５０との係合が解除されにくくなってしまう。
この場合は、タブ起こしの際にタブ５０が係合部３０の基端部から入力される回動荷重に耐えられず、タブ穴５６の周囲で折れ曲がったりする。また、該折れ曲がりを直そうとしてタブ５０を元の位置に戻そうとすると、リベット５５の周囲からタブ５０が破断したりする。このようにして、タブ５０の形状に変形を来たしてしまうことになる。なお、一般に、一度タブ５０が変形してしまうと、改めて治具を用いた開缶は極めて困難となる。
【００３０】
（開缶方法）
次に、図２の（ａ）〜（ｄ）を参照しながら、第１実施形態に係る缶オープナ１００の開缶方法を説明する。前記したように、缶オープナ１００はリベット５５を支点、把持部１０を力点、係合部３０の基端部を作用点として、タブ５０のタブ起こしを行う。これに応じてタブ５０は、リベット５５を支点、タブ５０の先端部を缶オープナ１００からの作用力が入力される力点とし、タブ５０の基端部（作用点）に発生するタブ５０自身が回動することに伴う作用力で、舌片５２を缶蓋平面部５１から下方に切り欠き、開口させるものである。
まず、図２の（ａ）に示すように、缶オープナ１００の把持部１０を把持して、係合部３０を缶のタブ５０に係合させる。この際、係合部３０へのタブ５０の挿入が甘くならないように、つまり係合部３０の奥まで確実にタブ５０が挿入されるようにする。
次に、図２の（ｂ）に示すように、把持部１０を、タブ５０のリベット５５を支点として、缶オープナ１００のタブ起こし方向Ｆに回動させる。つまり、タブ５０のタブ起こしを行う。このようにすると、タブ５０のリベット５５を支点として、規制部２０を円弧状に回動させることになる。
次に、図２の（ｃ）に示すように、規制部２０が缶蓋５７と当接したか否かを確認する。規制部２０が缶蓋５７と当接するまで、回動を継続させ、缶蓋５７と当接した時点で、回動を止める。
次に、図２の（ｄ）に示すように、係合部３０とタブ５０の係合を解除する。このようにすることで、図２の（ｄ）の工程後においては、舌片５２が缶蓋平面部５１から所定角度θ２である略３０°をなすようにして切り欠かれて開口した状態を得ることができる。
なお、係合部３０をタブ５０に係合させた状態のまま、タブ５０を略元の位置に戻してから、係合を解除してもよい。
【００３１】
（フローチャート）
次に、図３を参照しながら、第１実施形態に係る缶オープナ１００の開缶方法に関するフローチャートを説明する。なお、以下では図２の（ａ）〜（ｄ）で示した開缶方法の各所作図と対照させながら読み進まれたい。
【００３２】
ステップＳ１０において、ユーザは、自身の手で缶オープナ１００の把持部１０を把持し、缶オープナ１００の係合部３０を缶のタブ５０に係合させる。
【００３３】
次に、ステップＳ２０に進み、ユーザは、タブ起こし作業を行う。具体的には、タブ５０のリベット５５を支点として、把持部１０をタブ起こし方向Ｆに回動させる。これにより、タブ５０のリベット５５を支点として、缶オープナ１００の規制部２０を回動させることになる。
【００３４】
次にステップＳ３０に進み、ユーザは、規制部２０が缶蓋５７と当接したか否かを判断する。ステップＳ３０でＮｏ、すなわち、規制部２０が缶蓋５７と当接していなければ、ステップＳ２０に戻り、規制部２０が缶蓋５７と当接するまで、規制部２０の回動を継続して行う。一方、ステップＳ３０でＹｅｓ、すなわち、規制部２０が缶蓋５７と当接したならば、ステップＳ４０に進む。
【００３５】
ステップＳ４０において、ユーザは、缶オープナ１００の把持部１０の回動を停止することで、缶オープナ１００の規制部２０の回動を停止させる。
【００３６】
次に、ステップＳ５０において、ユーザは、缶オープナ１００の係合部３０と、タブ５０の係合を解除して、本フローを終了する。なお、ステップＳ４０とステップＳ５０との間において、係合部３０をタブ５０に係合させた状態のまま、タブ５０を略元の位置に戻すステップを設けてもよい。
【００３７】
（作用・効果）
第１実施形態の作用・効果を改めてまとめると、以下のようになる。
ビールなどの発泡性飲料において、好適な泡立ちを発生させることは、一般には、缶蓋５７の舌片５２が缶蓋平面部５１となす角度を所定角度とすることにより、実現することができる。そして、舌片５２が缶蓋平面部５１となす角度は、タブ５０が缶蓋平面部５１となす角度と所定の対応関係がある。ゆえに、第１実施形態に係る缶オープナ１００は、この関係性に着目して、つねに所定のその角度でタブの持ち上げを止めるような構成とした。
【００３８】
具体的には、缶オープナ１００を用いてタブ５０のタブ起こしを行い、リベット５５を支点として把持部１０を回動させた際に、缶オープナ１００の規制部２０の一部が、缶蓋５７とぶつかることで、缶オープナ１００の回動が規制されるようにした。
【００３９】
これにより、タブ５０が缶蓋平面部５１とつねに所定角度をなすようにタブ起こしが行われる。換言すると、舌片５２が缶蓋平面部５１とつねに所定角度をなすようにされるので、缶に充填されている発泡性飲料をグラスに注いだ際に、つねに好適な泡立ちを発生させられるという効果を奏する。
【００４０】
また、第１実施形態では、係合部上部３１および係合部下部３２のタブ５０を挿し込む方向の長さを、係合部下部３２の方が短くなるようにした。
これにより、タブ５０が所定の装着量に満たない状態、すなわち、係合部３０の所定の挿し込み長さまで、しっかりと挿入されない状態でリベット５５を支点として把持部１０を回動させると、タブ５０が缶オープナ１００から外れるようにした。
このようにすることで、タブ５０の折れ曲がりや破断などといった変形を回避し、ユーザに改めてタブ５０を係合部３０に係合させ直す機会を与えることができる。つまり、タブ５０が係合部３０の所定の挿し込み長さまで装着されない場合には、タブ５０が係合部３０の所定の挿し込み長さまで装着されるまで、何度でも缶オープナ１００を用いた開缶のやり直しを可能とした。
【００４１】
また、第１実施形態の缶オープナ１００は、把持部１０のうちユーザが回動力を入力する側に、屈曲部Ｒが設けられている。これにより、ユーザがタブ起こしを開始する時に、もっとも力を入力しやすくなるようにすることができる。また、把持部１０は、係合部３０から遠ざかる方向に長尺となるように形成されているので、ユーザは大きな力を加えなくても、把持部１０を把持するだけで容易にタブ起こしを行うことができる。ゆえに、爪を傷つけてしまうなどの事態を回避することもできる。
【００４２】
〔第２実施形態〕
次に、図４（ａ）、図４（ｂ）を参照しながら、第２実施形態に係る缶オープナ２００の概略構成を説明する。なお、第２実施形態に係る缶オープナ２００は、缶に充填されている発泡性飲料を缶から直接飲む際（グラス等に注いだ後に飲む際も含む）に、喉ごしがよいと感じさせることを目的とした缶オープナである。
【００４３】
第２実施形態に係る缶オープナ２００においても、第１実施形態と同様に、ユーザに把持される把持部１０と、タブに係合する係合部３０と、把持部１０と係合部３０との間に設けられる規制部２０と、を備えている。
【００４４】
（把持部）
図４（ａ）に示すように、第２実施形態の缶オープナ２００の把持部１０は、略板状体形状として成形されているが、把持可能な形状であれば、特にこの形状には限定されない。
【００４５】
第２実施形態の缶オープナ２００の把持部１０は、缶オープナ２００のタブ起こし方向Ｆの側の側面が、滑り止めのための凹凸部が付された板状部Ｍによって構成され、これと対向する側面も、板状部Ｍ３によって構成され、屈曲部Ｒが形成されていない点が、第１実施形態とは異なる。なお、板状部Ｍ，Ｍ３は、互いに平行な面となるようにされている。
【００４６】
（規制部）
次に、図４、５を参照しながら規制部２０について説明する。
規制部２０は、把持部１０の側面（板状部Ｍ）から、タブ起こし方向Ｆに突出して構成される。この突出の形状は、例えば、把持部１０の係合部側の端部の位置において、略山型で形成された凸部とすることができるが、これには限定されない。
そして、この規制部２０は、第１実施形態の規制部２０と同様、缶オープナ２００の回動角度を規制する部材であるが、規制する回動角度の大きさが第１実施形態の規制部２０と異なっている。
【００４７】
（規制部：缶オープナの回動角度について）
ここで、規制部２０によって規制される缶オープナ２００の回動角度は、１３０〜１７０度であるのが好ましい。
缶オープナ２００の回動角度をこのような範囲とすることにより、所定角度までタブ５０が起き上がるとともに、舌片５２が缶蓋平面部５１から所定角度（例えば、図５（ｄ）のθ２が９０度以上）をなすように押し下げられる。よって、缶に充填されている発泡性飲料を缶から直接口内（またはグラス等）に注ぐ際に、舌片５２が発泡性飲料の流れの勢いを抑制し炭酸が抜けてしまうといった事態を回避することができる。その結果、発泡性飲料を口内に勢いよく流しこめるとともに、炭酸が喉を程よく刺激することにより、喉ごしがよいとユーザに感じさせることができる。
なお、缶オープナ２００の回動角度が１３０度未満であると、タブ５０が十分に起き上がらず、舌片５２が十分に押し下げられない結果、舌片５２が発泡性飲料の流れの勢いを抑制してしまう。また、缶オープナ１００の回動角度が１７０度を超えると、タブ５０が起き上がり過ぎてしまうため、タブ５０を元の位置に戻す際にタブ５０がリベット５５から外れてしまう（折れてしまう）虞がある。
そして、喉ごしをよくするという効果を確実なものとするためには、缶オープナ２００の回動角度は、１４０〜１６０度がより好ましく、１４５〜１５５度が特に好ましい。
【００４８】
（規制部：缶オープナの回動角度と規制部の構造との対応関係）
缶オープナ２００の回動角度を前記したような所定角度とするためには、規制部２０の構造を以下の関係を満たすように設定すればよい。
図４、５を参照して説明するが、まず、缶オープナ２００の係合部３０をタブ５０に係合させた状態において、短手方向から缶オープナ２００を側面視した場合に、タブ５０のリベット５５近傍の基端部と当接する箇所を係合部３０の先端部３３とし、タブ５０の上面と当接する点を係合部３０のタブ当接点３６とし、規制部２０において缶蓋５７に当接する点を缶蓋当接点２１と、規定する。この場合において、係合部３０の先端部３３とタブ当接点３６とを繋いだ直線と、係合部３０の先端部３３と缶蓋当接点２１とを繋いだ直線とのなす角θ１が、１０〜５０度となるように規制部２０の構造を設定すればよい。ここで、「係合部３０の先端部３３とタブ当接点３６とを繋いだ直線」を「係合部上部３１（詳細後記）と同一平面」に置き換えてもよい。
なお、缶オープナ１００の回動角度と角θ１とは、「１８０度−缶オープナの回動角度≒角θ１」との関係を満たす。
よって、角θ１が１０〜５０度となるように規制部２０の構造を設定することで、缶オープナの回動角度を１３０〜１７０度とした場合の効果（喉ごしをよくするとの効果）を得ることができる。また、前記効果を確実なものとするため、角θ１は２０〜４０度がより好ましく、２５〜３５度が特に好ましい。
【００４９】
なお、前記した缶蓋当接点２１、タブ当接点３６は、缶オープナ１００を短手方向から側面視した場合の、缶蓋５７またはタブ５０との当接箇所を意味するが、これは点接触であることを必ずしも意味するものではなく、線接触、または面接触である場合も含む意味である。正確には、規制部２０と缶蓋５７との当接形態、係合部３０とタブ５０との当接形態は、規制部２０、係合部３０の形状に依存して変わる。
【００５０】
（係合部）
次に、図４（ａ）、図４（ｂ）を参照しながら係合部３０について説明する。
まず、図４（ａ）に示すように、缶のタブ５０と係合する係合部３０は、係合部上部３１と係合部下部３２とを含んで構成されている。そして、係合部上部３１および係合部下部３２の、タブ５０の短手方向に相当する幅はそれぞれ、タブ５０自身の短手方向の幅よりもわずかに広く形成されており、タブ５０が、係合部３０のタブ５０の長手方向から、挿入されやすい構造となっている。
【００５１】
なお、図４（ｂ）に示すように、第２実施形態における缶オープナ２００の係合部３０のタブ５０の短手方向は、タブ５０自体の短手方向の抜け落ちを規制する壁部３５，３５が設けられている点が第１実施形態とは異なっている。つまり、係合部３０のうち、タブ５０の短手方向の両端部に壁部３５を設けて、タブ５０を長手方向からのみ挿入可能に構成してある。
【００５２】
図４（ａ）の説明に戻って、係合部上部３１は、缶のタブ５０の先端部から、タブ５０と缶蓋平面部５１とを固定するために缶のタブ５０の基端部近傍に打設されたリベット５５付近までを、覆うように構成されている。これに対して、係合部下部３２のタブ５０を挿し込む方向の長さｔは、係合部上部３１のタブ５０を挿し込む方向の長さｓよりもわずかに短く（ｓ＞ｔ）なるようになっている。ここで、係合部下部３２のタブ５０を挿し込む方向の長さｔが、係合部上部３１のタブ５０を挿し込む方向の長さｓよりも短く（ｓ＞ｔ）なるようにする理由は、第１実施形態と同じであるので、詳しい説明を省略する。
【００５３】
但し、係合部上部３１のタブ５０を挿し込む方向の長さｓと、係合部下部３２のタブ５０を挿し込む方向の長さｔとの差分Δを考える。すると、第１実施形態の缶オープナ１００のΔ１＝ｓ−ｔと比較した場合において、第２実施形態の缶オープナ２００のΔ２＝ｓ−ｔは、第１実施形態の差分Δ１よりも、小さくなるように製作した方が望ましい（Δ１＞Δ２）。
なぜならば、第２実施形態の缶オープナ２００の係合部３０は、第１実施形態とは異なり前記の壁部３５があるために、缶オープナ２００の短手方向から、係合部３０とタブ５０との係合状態を視認することができない。ゆえに、係合部下部３２のタブ５０を挿し込む方向の長さｔが、係合部上部３１のタブ５０を挿し込む方向の長さｓよりも大幅に短い場合（ｓ＞＞ｔ）、係合部３０をタブ５０に係合させ難くなってしまう傾向があるためである。
【００５４】
次に、第２実施形態の缶オープナ２００の係合部３０に備えられた窓部３４について説明する。この窓部３４は、タブ５０が係合部３０の基端部である奥まで、確実に挿し込みされているか否かを、視覚的に確認するためのものである。
第２実施形態の缶オープナ２００の係合部３０のタブ５０の挿し込み長さは、タブ５０に係合部３０をもっとも奥まで挿入した場合に、窓部３４の直上から覗いてタブ５０のタブ穴５６と窓部３４の外枠とが略一致して見えるような長さとされている。
ゆえに、ユーザは、タブ５０に係合部３０を挿入する際、窓部３４の直上から見て、タブ５０のタブ穴５６が、窓部３４の外枠と一致しているか否かを確認することで、タブ５０の挿入量が浅く、係合が不完全となっていないかを確認することができる。
このようにすることで、第１実施形態とは異なり、仮に係合部下部３２のタブ５０を挿し込む方向の長さｔが、係合係合部上部３１のタブ５０を挿し込む方向の長さｓと等しく（ｓ＝ｔ）なるように成形されていたとしても、ユーザは、タブ５０の挿入量が充分か否かを視覚的に確認することができる。これによりユーザは、タブ５０の挿入量が充分でない場合には、係合量が不十分であると判断し、タブ５０に係合部３０を奥までしっかりと挿し込むようになる。このようにすることで、タブ５０の変形が回避される。
【００５５】
この窓部３４は、缶オープナ２００の筺体が透明でない素材で成形される場合に設けられる。そして、窓部３４は、単に孔を設けた構成としてもよいが、該孔表面に透明のフィルムを張り付けたり、該孔を透明の素材により埋めたりした構成としてもよい。
なお、缶オープナ２００の筺体を透明な素材で成形する場合は、タブ５０の挿入量が透けて見えるため、窓部３４を設ける必要はない。
【００５６】
（開缶方法など）
次に、図５の（ａ）〜（ｄ）を参照しながら、第２実施形態に係る缶オープナの開缶方法を説明する。第１実施形態と同様に、缶オープナ２００はリベット５５を支点、把持部１０を力点、係合部３０の基端部を作用点として、タブ５０のタブ起こしを行う。これに応じてタブ５０は、リベット５５を支点、タブ５０の先端部を缶オープナ２００からの作用力が入力される力点とし、タブ５０の基端部（作用点）に発生するタブ５０自身が回動することに伴う作用力で、舌片５２を缶蓋平面部５１から下方に切り欠き、開口させるものである。
まず、缶オープナ２００の把持部１０を把持して、図５の（ａ）に示すように、係合部３０を缶のタブ５０に係合させる。この際、係合部３０へのタブ５０の挿入が浅くならないように、つまり係合部３０の奥まで確実にタブ５０が挿入されるようにする。具体的には、ユーザは、窓部３４を直上から見て、タブ５０のタブ穴５６が、窓部３４の外枠と一致しているか否かを確認すればよい。
図５の（ｂ）〜（ｄ）の各工程は、第１実施形態（図２の（ｂ）〜（ｄ））と共通工程のため、詳しい説明を省略する。
このようにすることで、第１実施形態と同様に、第２実施形態の缶オープナ２００においても、図５の（ｄ）の工程後においては、舌片５２が缶蓋平面部５１から所定角度θ２である９０°以上をなすようにして切り欠かれて開口した状態を得ることができる。また、缶オープナ２００の開缶方法に関するフローチャートについても、第１実施形態（図３）と全く同様であるため、ここでは詳しい説明を省略する。
【００５７】
（作用・効果）
第２実施形態のように構成しても、第１実施形態と同様にして作用・効果を想起することができる。具体的には、舌片５２が缶蓋平面部５１となす角度は、タブ５０が缶蓋平面部５１となす角度と所定の対応関係があることを利用して、缶オープナ２００を用いてタブ５０のタブ起こしを行い、リベット５５を支点として把持部１０を回動させる。この際に、缶オープナ２００の規制部２０の一部が、缶蓋５７とぶつかることで、缶オープナ２００の回動が規制されるようにした。
【００５８】
これにより、タブ５０が缶蓋平面部５１とつねに所定角度をなすようにタブ起こしが行われる。換言すると、舌片５２が缶蓋平面部５１とつねに所定角度をなすようにされるので、缶の内容物であるビールを消費者が直接缶から飲用した際に、ビールが大流量で流れ、喉ごしのよいガス感を感ずることができるという効果を奏する。
【００５９】
また、第２実施形態においては、係合部３０に窓部３４を設け、タブ５０の挿入量が充分かユーザが視覚的に容易に確認できるようにした。これにより、タブ５０の挿入量が不十分だった場合、ユーザは改めてタブ５０に係合部３０を係合し直す機会を得ることができる。このようにすることで、把持部１０の回動時にタブ５０の折れ曲がりや破断などといった変形を回避することができる。
【００６０】
〔第３実施形態〕
次に、図６（ａ）、図６（ｂ）を参照しながら、第３実施形態に係る缶オープナ３００の概略構成を説明する。なお、第３実施形態に係る缶オープナ３００は、第１実施形態と同様、缶に充填されている発泡性飲料をグラス等に注ぐ際に、発泡性飲料の泡立ちをよくすることを目的とした缶オープナである。
【００６１】
第３実施形態に係る缶オープナ３００においても、第１実施形態と同様、ユーザに把持される把持部１０と、タブに係合する係合部３０と、把持部１０と係合部３０との間に設けられる規制部２０と、を備えている。
なお、第３実施形態に係る缶オープナ３００と第１実施形態の缶オープナ１００との主な相違点は、規制部２０の形状が大きく異なっている点であり、それ以外の構成は第１実施形態と略同じである。
【００６２】
（規制部の特徴）
第３実施形態の缶オープナ３００の規制部２０は、把持部１０から、タブ起こし方向Ｆに突出して構成される。この突出の形状は、例えば、図６（ａ）に示すように、把持部１０の係合部側の端部の位置において、略板状、または略棒状の突起で形成された凸部である。
【００６３】
このように缶オープナ３００を構成しても、図６（ｂ）に示すように、第１実施形態と同様にして、規制部２０がタブ５０のタブ起こしを所定角度で規制することで、間接的に舌片５２が、缶蓋平面部５１から所定角度をなすようにコントロールすることができる。
なお、規制部２０は、リベット５５を中心に缶オープナ３００を回動させる際の回動の角度が、４０〜８０度の所定角度となるように形成されている。
【００６４】
（開缶方法・フローチャート・作用効果）
第３実施形態に係る缶オープナ３００の開缶方法、およびそのフローチャートに関しては、第１実施形態と全く同様であるので、詳しい説明を省略する。以上のように構成しても、第１実施形態と同様にして作用・効果を想起できることはいうまでもない。
【００６５】
〔第４実施形態〕
次に、図７（ａ）、図７（ｂ）を参照しながら、第４実施形態に係る缶オープナ４００の概略構成を説明する。なお、第４実施形態に係る缶オープナ４００は、第１実施形態と同様、缶に充填されている発泡性飲料をグラス等に注ぐ際に、発泡性飲料の泡立ちをよくすることを目的とした缶オープナである。
【００６６】
第４実施形態に係る缶オープナ４００においても、第１実施形態と同様、ユーザに把持される把持部１０と、タブに係合する係合部３０と、把持部１０と係合部３０との間に設けられる規制部２０と、を備えている。
なお、第４実施形態に係る缶オープナ４００と第１実施形態の缶オープナ１００との主な相違点は、規制部２０の形状が大きく異なっている点であり、それ以外の構成は第１実施形態と略同じである。
【００６７】
（規制部の特徴）
第４実施形態の缶オープナ４００の規制部２０は、第１実施形態の缶オープナ１００の凸状を呈する規制部２０とは異なり、図７（ａ）に示すように、把持部１０自身の形状を屈曲させることによって形成されている。換言すると、第４実施形態の缶オープナ４００の把持部１０は、それ自身が屈曲した形状を有することで、把持部１０としての機能のみならず、規制部２０としての機能をも併せ持つものであるといえる。
【００６８】
このように缶オープナ４００を構成しても、図７（ｂ）に示すように、第１実施形態と同様にして、規制部２０がタブ５０のタブ起こしを所定角度で規制することで、間接的に舌片５２が、缶蓋平面部５１から所定角度をなすようにコントロールすることができる。
なお、規制部２０は、リベット５５を中心に缶オープナ４００を回動させる際の回動の角度が、４０〜８０度の所定角度となるように形成されている。
【００６９】
（開缶方法・フローチャート・作用効果）
第４実施形態に係る缶オープナ４００の開缶方法、およびそのフローチャートに関しては、第１実施形態と全く同様であるので、詳しい説明を省略する。以上のように構成しても、第１実施形態と同様にして作用・効果を想起できることはいうまでもない。
【００７０】
〔第５実施形態〕
次に、図８（ａ）、図８（ｂ）を参照しながら、第５実施形態に係る缶オープナ５００の概略構成を説明する。なお、第５実施形態に係る缶オープナ５００は、第２実施形態と同様、缶に充填されている発泡性飲料を缶から直接飲む際（グラス等に注いだ後に飲む際も含む）に、喉ごしがよいと感じさせることを目的とした缶オープナである。
【００７１】
第５実施形態に係る缶オープナ５００においても、第２実施形態と同様、ユーザに把持される把持部１０と、タブに係合する係合部３０と、把持部１０と係合部３０との間に設けられる規制部２０と、を備えている。
なお、第５実施形態に係る缶オープナ５００と第２実施形態の缶オープナ２００との主な相違点は、規制部２０を構成する凸部の形状と大きさを変え、また係合部３０がいわゆる板式の形状になっている点である。それ以外の構成は、第２実施形態と略同じである。
【００７２】
（規制部の特徴）
第５実施形態の缶オープナ５００の規制部２０は、把持部１０から、タブ起こし方向Ｆに突出して構成される。この突出は、図８（ａ）に示すように、第１実施形態の缶オープナ１００に似た略矩形形状としてその大きさを小さくしたものである。
【００７３】
このように缶オープナ５００を構成しても、図８（ｂ）に示すように、第２実施形態と同様にして、規制部２０がタブ５０のタブ起こしを所定角度で規制することで、間接的に舌片５２が、缶蓋平面部５１から所定角度をなすようにコントロールすることができる。
なお、規制部２０は、リベット５５を中心に缶オープナ５００を回動させる際の回動の角度が、１３０〜１７０度の所定角度となるように形成されている。
【００７４】
（係合部の特徴）
第５実施形態の缶オープナ５００の係合部３０は、いわゆる板式と呼ばれる形状を有しており、タブ５０のタブ穴５６に略板状の係合部３０をタブ５０の裏面から表面に向けて挿し込むことで、係合させる構成を有している。
【００７５】
なお、缶オープナ５００の回動の略中心となる点は、係合部３０の先端部３３であり、該係合部の先端部３３は、およそ缶蓋５７のリベット５５付近に位置している。つまり、第５実施形態の缶オープナ５００の係合部３０は、缶のタブ穴５６から、タブ５０と缶蓋平面部５１とを固定するために缶のタブ５０の基端部近傍に打設されたリベット５５付近までを、覆うような形状となっている。
【００７６】
（開缶方法・フローチャート・作用効果）
第５実施形態に係る缶オープナ５００の開缶方法、およびそのフローチャートに関しては、第２実施形態と全く同様であるので、詳しい説明を省略する。以上のように構成しても、第２実施形態と同様にして作用・効果を想起できることはいうまでもない。
【００７７】
上記した実施形態は本発明を分かりやすくするために詳細に説明したものであり、必ずしも、説明した全ての構成を備えるものに限定されるものではない。
【００７８】
また、ある実施形態の構成の一部を他の実施形態の構成に置き換えることが可能であり、また、ある実施形態の構成に、他の実施形態の構成の一部もしくは全てを加えることも可能である。
【００７９】
また、各実施形態の構成の一部について、他の構成の追加・削除・置換をすることが可能である。
【００８０】
具体的には、上記第１実施形態、第３実施形態、第４実施形態は泡立ちがよくなる缶オープナ１００，３００，４００であると説明した。また、第２実施形態、第５実施形態は喉ごしがよくなる缶オープナ２００，５００であると説明した。しかし、これらを一体的に組み合わせて、把持部１０の一方の端部に泡立ちがよくなる缶オープナ１００，３００，４００のうちいずれかひとつを備えるとともに、把持部１０の他方の端部に喉ごしがよくなる缶オープナ２００，５００のうちのいずれかひとつを備えるような缶オープナとしてもよい。このようにすれば、使用場面に応じてひとつの缶オープナを使い分けすることができ、より機能的となって、好適といえる。
【００８１】
また、例えば、第３実施形態、または第４実施形態の缶オープナ３００，４００の規制部２０を、第５実施形態の缶オープナ５００の規制部２０に適用してもよい。その場合には、缶オープナ３００，４００の規制部２０の前記の突出程度を調整するようにすればよい。
【００８２】
また、第１実施形態、第３実施形態、第４実施形態の缶オープナ１００，３００，４００の係合部３０の係合方式を、第５実施形態の缶オープナ５００の係合部３０の係合方式に置き換えることもできる。
【００８３】
また、第１実施形態の缶オープナ１００では、規制部２０が例えば略矩形の凸部であると説明した。しかし、必ずしも略矩形の凸部と一体化した規制部２０である必要はなく、略矩形の凸部とは別に、例えば把持部１０と係合部３０との間の一部に、別途規制部２０の突出を備える構成とすることもできる。
【実施例】
【００８４】
第１実施形態の缶オープナ１００を用いて開缶させたビールをグラスに注ぎ出し、泡立ち性能が改善されるか、定量的に評価することを目的として、評価試験を行った。
評価試験の手順としては、まず初めに、第１実施形態の泡立ちがよくなる缶オープナ１００で開缶した製品（３５０ｍｌ缶）を自動注出装置でグラスに注ぎ出しを行い、注ぎ出し直後の泡の厚さを測定した。なお、泡立ちがよくなる缶オープナ１００の舌片５２は缶蓋平面部５１とのなす角が略３０°となるようにされたものである。また、泡の厚さと併せて液相の厚さも測定し、注ぎ出し直後の泡の比率を算出した。なお、泡の比率は、泡の厚さ÷（泡の厚さ＋液相の厚さ）×１００によって算出することができる。
また、比較例１として、舌片５２が半開となるような缶オープナ、例えば、舌片と缶蓋平面部とのなす角が略４５°となるような缶オープナで開缶した製品（３５０ｍｌ缶）を自動注出装置でグラスに注ぎ出しを行い、注ぎ出し直後の泡の厚さを測定した。そして、泡の厚さと併せて液相の厚さも測定し、実施例と同様にして、注ぎ出し直後の泡の比率を算出した。
また、比較例２として、舌片５２が全開となるような缶オープナ、例えば、舌片と缶蓋平面部とのなす角が略９０°となるような缶オープナで開缶した製品（３５０ｍｌ缶）を自動注出装置でグラスに注ぎ出しを行い、注ぎ出し直後の泡の厚さを測定した。そして、泡の厚さと併せて液相の厚さも測定し、実施例と同様にして、注ぎ出し直後の泡の比率を算出した。
このような測定を合計３回繰り返し、注ぎ出し直後の泡の厚さおよび泡の比率の平均値を得た。
【００８５】
【表１】
0006452971.tif 000002
【００８６】
すると、表１に示すような、測定結果が得られた。具体的には、第１実施形態の缶オープナ１００を用いた実施例では、３回の試験での泡の厚さの平均値は４７．０ｍｍであった。また、泡の比率の平均値は、３６．８％であった。
これに対して、比較例１では、３回の試験での泡の厚さの平均値は４２．５ｍｍであった。また、泡の比率の平均値は、３１．７％であった。
また、比較例２では、３回の試験での泡の厚さの平均値は４０．８ｍｍであった。また、泡の比率の平均値は、２９．９％であった。
以上により、注ぎ出し直後の場合、実施例がもっとも泡の厚さがあり、泡の比率も多く、続いて比較例１、比較例２の順となる結果が得られた。つまり、舌片５２が缶蓋平面部５１となす角が３０°の所定角度となるようにされた第１実施形態の缶オープナ１００が、もっとも良好な結果を示すことが確認された。
【符号の説明】
【００８７】
１０    把持部
２０    規制部
２１    缶蓋当接点
３０    係合部
３１    係合部上部
３２    係合部下部
３３    係合部の先端部
３４    窓部
３５    壁部
３６    タブ当接点
５０    タブ
５１    缶蓋平面部（缶蓋）
５２    舌片
５３    開口部
５４    フランジ部（缶蓋）
５５    リベット
５６    タブ穴
５７    缶蓋
１００，２００，３００，４００，５００  缶オープナ
θ１，θ２  なす角
ｓ，ｔ  長さ
Ｒ    屈曲部
Ｍ，Ｍ１，Ｍ２，Ｍ３  板状部
Ｆ    タブ起こし方向（タブを起こす方向）
【図１】
0006452971.tif 000003
【図２】
0006452971.tif 000004
【図３】
0006452971.tif 000005
【図４】
0006452971.tif 000006
【図５】
0006452971.tif 000007
【図６】
0006452971.tif 000008
【図７】
0006452971.tif 000009
【図８】
0006452971.tif 000010